(57)【要約】【課題】ステップの溝の側面の汚れや溝に染み付いた機械油等の液状の汚れについても十分な清掃能力を有し、小型・軽量とすることが可能でステップの上面部両側方も清掃が可能であり、かつ、清掃体自体も安価とすることができ、更新を容易とする。【解決手段】本発明は、乗客コンベアに備えられるステップ１４の溝１５に適合するように並設支持され、それぞれ円板状または風車状の不織布から成る複数の清掃体２を含む清掃体カートリッジ３と、清掃体カートリッジ３を保持するホルダ４と、ホルダ４を保持する架台５と、ホルダ４に溝１５方向への押圧力を付与する押圧手段６と、ホルダ４を架台５に保持させる１つまたは複数のヒンジ機構７とを備えた構成にしてある。清掃体カートリッジ３は、複数の清掃体２を並設支持する一対以上のシャフト２１と、清掃体２に一対以上形成され、シャフト２１のそれぞれが挿入される穴部２２とを含む。【選択図】図１
2014055068.tif 000002
【特許請求の範囲】
【請求項１】
乗客コンベアに備えられるステップの溝を清掃することが可能な清掃体を有するステップ清掃装置において、
前記ステップの前記溝に適合するように並設支持され、それぞれ板状の不織布から成る複数の前記清掃体を含む清掃体カートリッジと、前記清掃体カートリッジを保持するホルダと、前記ホルダを保持する架台と、前記ホルダに前記溝方向への押圧力を付与する押圧手段と、前記ホルダを前記架台に保持させる１つまたは複数のヒンジ機構とを備えたことを特徴とするステップ清掃装置。
【請求項２】
請求項１に記載のステップ清掃装置において、
前記清掃体カートリッジは、複数の前記清掃体を並設支持する一対、または複数対のシャフトと、前記清掃体のそれぞれに、それぞれの前記清掃体の中心を基準として対称に一対、または複数対形成され、前記シャフトのそれぞれが挿入される穴部とを含むことを特徴とするステップ清掃装置。
【請求項３】
請求項２に記載のステップ清掃装置において、
前記ホルダに前記清掃体カートリッジを保持する凹形状から成る軸保持部が設けられ、前記軸保持部には前記清掃体カートリッジの前記シャフトが保持されることを特徴とするステップ清掃装置。
【請求項４】
請求項１に記載のステップ清掃装置において、
前記清掃体カートリッジまたは前記ホルダにラチェット機構を備えたことを特徴とするステップ清掃装置。
【請求項５】
請求項１、２、４のいずれか１項に記載のステップ清掃装置において、
前記清掃体カートリッジの中心軸の端部部材を、線対称を基調とした形状に形成し、
前記ホルダに、前記清掃体カートリッジの前記中心軸の前記端部部材が収容され、前記線対称を基調とした形状の一部の形状に相応する凹形状から成る軸保持部を形成したことを特徴とするステップ清掃装置。
【請求項６】
請求項１、２、４、５のいずれか１項に記載のステップ清掃装置において、
前記清掃体を、風車状の鋭角な突起を備えた形状に設定したことを特徴とするステップ清掃装置。
【発明の詳細な説明】
【技術分野】
【０００１】
本発明は、エスカレータまたは動く歩道等の乗客コンベアに備えられるステップの溝を清掃することが可能な清掃体を有するステップ清掃装置に関する。
【背景技術】
【０００２】
例えばエスカレータのステップには、靴等が挟まれないように、各々のステップ同士や乗場に設置されたクシ状部品に噛み合うように溝が設けられている。この溝の底や溝の側面に堆積、付着した汚れを清掃するために、従来から各種の清掃装置が提案されている。特許文献１には、乗降口の櫛板ねじ止め部に清掃体を構成するブラシを固定し、ステップを連続運転させて、ブラシによってステップの溝を清掃するようにしたステップ清掃装置が開示されている。特許文献２には、清掃体を構成する無端状の紐状清掃具をステップの溝内に挿入し、ステップを連続運転させて、紐状清掃具によりステップの溝を清掃するようにしたステップ清掃装置が開示されている。
【先行技術文献】
【特許文献】
【０００３】
【特許文献１】特開２０１１−１５２９８８号公報
【特許文献２】特開２００７−５５７９０号公報
【発明の概要】
【発明が解決しようとする課題】
【０００４】
特許文献１に開示されたステップ清掃装置では、ブラシの毛先がステップの溝に正確に入り込まなかったり、また、入り込んでも溝の隅々にまで毛先が接触せず、溝の底面の良好な清掃を実現できないという問題がある。また、ブラシの毛先が接触し難いステップの溝の側面は、清掃を行うことが難しい。さらに、溝に染み付いた機械油等の液状の汚れの清掃も困難である。
【０００５】
特許文献２に開示されたステップ清掃装置では、無端状の紐状清掃具を設けたことで、清掃体が溝に入り込まない問題や、ステップの溝の側面の清掃、機械油等の液状の汚れの清掃の問題については改善が期待される。しかし、清掃体が特殊なものとなるので制作費が高価となる別の問題がある。また、清掃装置の構成が複雑であるため、清掃装置が大型・大重量となり、運搬や設置の際の負担が大きくなるとともに、清掃体を更新する際に、清掃体をセットする準備作業が煩雑になる問題がある。また、ステップを駆動するステップチェーンから垂れ落ちる機械油やその機械油による塵埃の粘着などによって特に汚れやすいステップの上面部両側方については、スカードガードと呼ばれる側板や、内デッキに設けられた挟まれ抑制のための突出部やブラシに、清掃装置が干渉してしまい、清掃が難しくなる問題がある。
【０００６】
本発明は、前述した従来技術における実情からなされたもので、その目的は、ステップの溝の側面の汚れや溝に染み付いた機械油等の液状の汚れに対して十分な清掃能力を有し、小型・軽量とすることが可能でステップの上面部両側方に対しても清掃が可能であり、かつ、清掃体自体も安価とすることができ、更新が容易なステップ清掃装置を提供することにある。
【課題を解決するための手段】
【０００７】
前記目的を達成するために、本発明に係るステップ清掃装置は、乗客コンベアに備えられるステップの溝を清掃することが可能な清掃体を有するステップ清掃装置において、前記ステップの前記溝に適合するように並設支持され、それぞれ板状の不織布から成る複数の前記清掃体を含む清掃体カートリッジと、前記清掃体カートリッジを保持するホルダと、前記ホルダを保持する架台と、前記ホルダに前記溝方向への押圧力を付与する押圧手段と、前記ホルダを前記架台に保持させる１つまたは複数のヒンジ機構とを備えたことを特徴としている。
【発明の効果】
【０００８】
本発明によれば、従来困難であったステップの溝の側面の汚れや溝に染み付いた機械油等の液状の汚れを十分に清掃することができ、また、従来に比べて小型・軽量とすることが可能であり、従来困難であったステップの上面部両側方も清掃することができ、かつ、清掃体自体も安価とすることができ、従来に比べて更新が容易なステップ清掃装置を実現できる。
【図面の簡単な説明】
【０００９】
【図１】本発明に係るステップ清掃装置の第１実施形態を示す側面図である。
【図２】図１のＡ断面図である。
【図３】第１実施形態の平面図である。
【図４】図１のＢ断面図である。
【図５】第１実施形態に備えられる清掃体を示す図で、ａ図は図１に示される清掃体を示す側面図、ｂ図及びｃ図は清掃体の変形例を示す側面図である。
【図６】第１実施形態をエスカレータに設置したときの側面図である。
【図７】第１実施形態をエスカレータに設置したときの正面図である。
【図８】本発明の第２実施形態を示す正面図である。
【図９】本発明の第３実施形態を示す側面図である。
【図１０】第３実施形態に備えられる清掃体カートリッジの中心軸の端部形状の種々の変形例を示す図である。
【図１１】第３実施形態に備えられる清掃体カートリッジ及び清掃体の交換・更新作業を説明する図である。
【図１２】本発明の第４実施形態を示す側面図である。
【図１３】本発明の第４実施形態を示す正面図である。
【図１４】本発明の第５実施形態に備えられる清掃体の側面図である。
【図１５】第５実施形態に備えられる清掃体を用いて清掃した場合の汚れの挙動を示す図である。
【図１６】第５実施形態に備えられる清掃体の寸法について説明する図である。
【発明を実施するための形態】
【００１０】
以下、本発明に係るステップ清掃装置の実施の形態を図に基づいて説明する。
【００１１】
図１は本発明に係るステップ清掃装置の第１実施形態を示す側面図、図２は図１のＡ断面図、図３は第１実施形態の平面図、図４は図１のＢ断面図、図５は第１実施形態に備えられる清掃体を示す図で、ａ図は図１に示される清掃体を示す側面図、ｂ図及びｃ図は清掃体の変形例を示す側面図である。
【００１２】
第１実施形態に係るステップ清掃装置１は、図１，２，４及び図５のａ図に示すように、ここでは図示省略したステップの溝に適合するように並設支持され、それぞれ板状、例えば円板状の不織布から成る複数の清掃体２を含む清掃体カートリッジ３と、清掃体カートリッジ３を保持するホルダ４と、ホルダ４を保持する架台５と、ホルダ４にステップの溝方向への押圧力を付与する押圧手段６と、ホルダ４を架台５に保持させる１つまたは複数のヒンジ機構７とを備えている。
【００１３】
架台５の下端部には、図１，３に示すように、架台５を固定するために形成された長穴８と、この長穴８に挿入され架台５を固定するボルト９を配置してある。ボルト９にはワッシャ１０を装着してある。
【００１４】
前述した押圧手段６は、種々の構成を取り得るが、例えば押圧力の調整、及び解放を容易に行え、かつ、部材価格の低減を考慮して、板ばね１１と、この板ばね１１を締め付ける蝶ボルト１２とを含む構成にしてある。
【００１５】
前述した清掃体カートリッジ３は、図１，２，４，図５のａ図に示すように、例えば清掃体２の両端に設けた端部部材１９と、この端部部材１９の清掃体２の中心位置に配置された中心軸２３と、清掃体２のそれぞれを並設支持する一対のシャフト２１と、清掃体２のそれぞれに、それぞれの清掃体２の中心、すなわち中心軸２３の配置された位置を基準として対称に例えば一対形成され、シャフト２１のそれぞれが挿入される穴部２２とを含む構成にしてある。清掃体２には、ステップとの摺動により回転方向の力が働く。前述した一対のシャフト２１は、清掃体２に与えられる回転力による清掃体２の回転を規制している。このように構成した清掃体カートリッジ３の中心軸２３がホルダ４に取り付けられる。
【００１６】
図６，７は第１実施形態をエスカレータに設置したときの図で、図６は側面図、図７は正面図である。
【００１７】
第１実施形態に係るステップ清掃装置１は、例えばエスカレータにおいて活用される。ステップ清掃装置１の設置に際して、図６に示すように、架台５の下端部の長穴８をエスカレータのコームプレート１３に設けられているねじ穴に適合させた状態にして、長穴８にワッシャ１０を装着させたボルト９を挿入し、コームプレート１３のねじ穴に螺合させて、固定することが行われる。この際に、図７に示すように、清掃体カートリッジ３に支持されている清掃体２のそれぞれがエスカレータのステップ１４の溝１５に確実に挿入される位置で固定が行われる。
【００１８】
コームプレート１３は、エスカレータのステップ１４への乗降口に配置され、通常時は一般に樹脂または金属製のクシ状部品がボルトによって取り付けられている。第１実施形態に係るステップ清掃装置１を設置する際には、例えば前述のクシ状部品を取り外し、取り外したことによって露出する前述のねじ穴を利用して第１実施形態に係るステップ清掃装置１の固定が行われる。
【００１９】
このようにしてステップ清掃装置１をエスカレータのコームプレート１３に固定した後、蝶ボルト１２によって板ばね１１を締め付けて、ホルダ４をステップ１４の溝１５の方向へ押圧することが行われる。なお、この際の押圧力を清掃体２のそれぞれに対して２Ｎ〜５Ｎとすると、良好な清掃効果が得られること、また、清掃体２の汚れの保持効率が良いことを本発明者らは清掃試験によって確認している。
【００２０】
前述のようにしてステップ清掃装置１を設置した状態で、図６に示すように、ステップ１４が乗降口から離れる方向にエスカレータを運転すると、清掃体２のそれぞれによってステップ１４の溝１５の底面や側面、及びステップ１４の上面部両側方を自動的に清掃することができる。
【００２１】
清掃体２の上下を逆にするようにして行われる清掃面の更新や、清掃体カートリッジ３の交換に際しては、板ばね１１及び蝶ボルト１２を取り外し、ヒンジ機構７を支点としてホルダ４を上方に引き上げることにより、容易に行うことができる。
【００２２】
なお、図７に示すように、エスカレータの側板１６から、この側板１６に最も接近するステップ１４の溝１５の端部までの距離ｄよりも、側板１６に対向するホルダ４の最外面から、側板１６に最も近い位置に配置される清掃体２の側板１６側端面までの距離Ｄの方が小さくなるように、すなわち、Ｄ＜ｄの関係となるように、ホルダ４及び清掃体カートリッジ３を構成するようにすれば、ステップ１４の側板１６に最も近接する溝１５の清掃も行うことができる。すなわち、ステップ清掃装置１を取り付ける位置を架台５の下端部の長穴８、及び長穴８に挿入されるボルト９を介して調整することにより、ステップ１４の溝１５の上面部両側方の清掃が可能となる。
【００２３】
このように構成した第１実施形態によれば、ステップ１４の溝１５の側面の汚れや溝１５に染み付いた機械油等の液状の汚れを十分に清掃することができる。また、構成が比較的簡単であり、小型・軽量とすることが可能である。また、前述のようにステップ１４の両側方も清掃することができる。また、清掃体２自体も、円板状に形成した不織布から成る程度の簡単な構成であるので、製作が容易で安価とすることができる。また、前述したように清掃体２の清掃面の更新、及び清掃体カートリッジ３の交換を容易に行うことができる。このようなことから、信頼性に優れた実用性に富むステップ清掃装置１を実現できる。
【００２４】
なお、第１実施形態では、図５のａ図に示すように、清掃体２に一対の穴部２２を形成してあるが、図５のｂ，ｃ図に示すように、清掃体２の中心、すなわち中心軸２３を基準として所定角度間隔に、一対のシャフト２１の挿入が可能な複数対の穴部２２を形成するように構成してもよい。このように清掃体２に複数対の穴部２２を形成してものでは、清掃体２の配置角度を変更することにより、穴部２２の対の数だけ段階的に清掃体２の清掃面を更新でき、清掃体２の全周を無駄なく使用して清掃することができる。
【００２５】
図８は本発明の第２実施形態を示す正面図である。
【００２６】
第２実施形態に係るステップ清掃装置１は、例えばホルダ４にラチェット機構１７を設けたものである。その他の構成は、第１実施形態におけるステップ清掃装置１と同等である。
【００２７】
この第２実施形態では、ラチェット機構１７を作動させることにより、円板状の清掃体２を多段階に回転させることが可能となる。したがって、ステップ１４の溝１５の内部の汚れを絡め取ることによって目詰まりし、これにより清掃能力が低下した清掃体２を、ラチェット機構１７を作動させてステップ１４の進行方向とは逆の方向に若干回転させるだけで、新たな清掃面をステップ１４の溝１５内に導くことができる。すなわち、清掃体２の清掃面の更新をラチェット機構１７を介して容易に行うことができるとともに、円板状の清掃体２の全周を無駄なく活用させて清掃を行うことができる。その他の作用効果は、第１実施形態と同等である。
【００２８】
なお、前述したラチェット機構１７を作動、すなわち回転させる際には、六角レンチ等の回転ハンドル１８を用いると、板ばね１１及び蝶ボルト１２による押圧力を僅かに解放するだけで清掃体２の清掃面の更新が可能になり、清掃面の更新に要する時間を数秒程度の短時間とすることができる。
【００２９】
前述した第２実施形態は、ラチェット機構１７をホルダ４に設けた構成にしてあるが、ラチェット機構１７を清掃体カートリッジ３に設けるようにしてもよい。
【００３０】
図９は本発明の第３実施形態を示す側面図、図１０は第３実施形態に備えられる清掃体カートリッジの中心軸の端部形状の種々の変形例を示す図、図１１は第３実施形態に備えられる清掃体カートリッジ及び清掃体の交換・更新作業を説明する図である。
【００３１】
第３実施形態は、清掃体カートリッジ３のホルダ４に保持される中心軸２３を、正多角形等の線対称を基調とした形状に形成し、ホルダ４に、清掃体カートリッジ３の中心軸２３が収容され、前述の線対称を基調とした形状の一部の形状、例えば半分の形状に相応する凹形状から成る軸保持部２０を形成した構成にしてある。その他の構成は、第１実施形態と同等である。
【００３２】
前述の線対称を基調とした形状として、例えば図１０に示すように、正三角形、正四角形、正五角形、正六角形、正七角形、正八角形、正十角形、正十二角形、十字形、角丸十字形、星形、正六角形亜流板等の形状を取り得る。
【００３３】
このように構成した第３実施形態によれば、中心軸２３の形状の対称の数だけ段階的に、かつ容易に清掃体２の清掃面の更新が可能となり、清掃体２の全周を無駄なく活用してステップ１４の溝１５の清掃を行うことができる。清掃体２の清掃面を更新する際には、また清掃体カートリッジ３を交換する際には、図１１に示すように、押圧手段６を取り外し、ヒンジ機構７を支点としてホルダ４を持ち上げた状態で行うと容易に行うことができる。その他の作用効果は、第１実施形態と同等である。
【００３４】
図１２は本発明の第４実施形態を示す側面図、図１３は本発明の第４実施形態を示す正面図である。第４実施形態は、図５（ｂ）に示す四角形状に４つの穴部２２が設けられた清掃体２を使用している。この清掃体２の４つの穴部２２にシャフト２１を通すため、結果的にシャフト２１も四角形状に配置される。そしてシャフト２１の端部に端部部材１９が配置される状態となる。
【００３５】
また本実施形態ではホルダ４に設けられた軸保持部２０は、４つのシャフト２１の外周を結んだ形状と同じかそれよりわずかに大きい凹形状とされており、端部部材１９は軸保持部２０の凹形状よりも大きく形成されてる。そして、図１３に示すようにシャフト２１の長さは両端に位置するホルダ４の間隔よりもわずかに長く形成されており、これによりシャフト２１が軸保持部２０で保持され、図１３に示す左右方向への抜け止めを端部部材１９がホルダ４と干渉することで実現している。
【００３６】
このように構成した第４実施形態によれば、ホルダ４に係止される中心軸２３を別途設ける必要が無く、シャフト２１で中心軸２３と同じ機能を実現でき、構造の簡易化、製造コストの低減を図ることができる。
【００３７】
なお、本実施形態では、四角形状に４つの穴部２２が設けられた清掃体２を用いた例を挙げて説明したが、その他の多角形状に穴部２２を設けた清掃体２を設け、そこにシャフト２１を通し、シャフト２１の外周を結んだ形状と同じかそれよりわずかに大きい凹形状の軸保持部２０をホルダ４に形成すれば、シャフト２１の外周を結んだ形状の対称の数だけ段階的に、かつ容易に清掃体２の清掃面の更新が可能となり、清掃体２の全周を無駄なく活用してステップ１４の溝１５の清掃を行うことができる。清掃体２の清掃面を更新する際には、また清掃体カートリッジ３を交換する際には、押圧手段６を取り外し、ヒンジ機構７を支点としてホルダ４を持ち上げた状態で行うと容易に行うことができる。その他の作用効果は、第１実施形態と同等である。
【００３８】
図１４は本発明の第５実施形態に備えられる清掃体の側面図、図１５は第５実施形態に備えられる清掃体を用いて清掃した場合の汚れの挙動を示す図、図１６は第５実施形態に備えられる清掃体の寸法について説明する図である。
【００３９】
本発明の第５実施形態は、図１４に示す板状、例えば風車状の鋭角な突起２４を備えた板形状の清掃体２を備えている。このように構成した第５実施形態によれば、図１５に示すように、ステップ１４の溝の底面に清掃体２の鋭角部を形成する突起２４を接触させることで、ステップ１４の溝の底面に溜まった汚れ２５を掻き取る効果、及び保持する効果が得られ、より効率的に汚れ２５の除去が可能となる。
【００４０】
また、ステップ１４の溝内に入る清掃体２の体積が円板状の清掃体２を備える場合よりも減少するため、清掃体２がステップ１４の溝の底面を押し擦る力を強くすることが可能となり、結果として、清掃効率を向上させることができる。
【００４１】
ここで、風車状の鋭角部を形成する突起２４を備えた清掃体２の寸法は、図１６のａ図に示すように、ステップ１４の溝の深さＡが一般に１０〜１１ｍｍであることから、清掃装置本体の小型・軽量化、及び清掃体２全体に占める実際に清掃に使われる面積の最大化のために、直径Ｂを８６〜１０２ｍｍとし、清掃部位となる鋭角部を形成する突起２４は、９０度ごとに４箇所設けるとよい。
【００４２】
また、鋭角部を形成する突起２４の高さＣは、図１６のｂ図に示すように、１１ｍｍより小さいとステップ１４の溝に入り込む清掃体２の体積が増加してしまい、ステップ１４の溝の底面を押し擦る力が減少してしまう。また、掻き取って蓄積された汚れ２６を収容する容積が少なくなるため、比較的早くに汚れの量が収容限界に至り、清掃能力が低下してしまうことになる。一方、図１６のｃ図に示すように、突起２４の高さＣが高過ぎると、清掃体２の体積が減少することにより、清掃体２の剛性が損なわれ、清掃時に清掃体２が歪んでしまうという問題が生じる。よって、突起２４の高さＣは、図１６のａ図に示すように、ステップ溝の深さＡが一般に１０〜１１ｍｍであることに対し、若干高くなる１１〜１５ｍｍ程度とすることが好ましい。
【００４３】
なお、前述した各実施形態において、ステップ１４の溝１５の清掃に際して、予め清掃体２やステップ１４の上面に清掃精度を向上させる洗剤類を塗布し、この状態で清掃体１４の溝１５を清掃するようにしてもよい。
【符号の説明】
【００４４】
１    ステップ清掃装置
２    清掃体
３    清掃体カートリッジ
４    ホルダ
５    架台
６    押圧手段
７    ヒンジ機構
８    長穴
９    ボルト
１０    ワッシャ
１１    板ばね
１２    蝶ボルト
１３    コームプレート
１４    ステップ
１５    溝
１６    側板
１７    ラチェット機構
１８    回転ハンドル
１９    端部部材
２０    軸保持部
２１    シャフト
２２    穴部
２３    中心軸
２４    突起
２５    汚れ
２６    蓄積された汚れ
【図１】
2014055068.tif 000003
【図２】
2014055068.tif 000004
【図３】
2014055068.tif 000005
【図４】
2014055068.tif 000006
【図５】
2014055068.tif 000007
【図６】
2014055068.tif 000008
【図７】
2014055068.tif 000009
【図８】
2014055068.tif 000010
【図９】
2014055068.tif 000011
【図１０】
2014055068.tif 000012
【図１１】
2014055068.tif 000013
【図１２】
2014055068.tif 000014
【図１３】
2014055068.tif 000015
【図１４】
2014055068.tif 000016
【図１５】
2014055068.tif 000017
【図１６】
2014055068.tif 000018